(57)【要約】      （修正有）【課題】ファンの基礎的な機能に加え、スプレー容器を追加することで香水、防虫剤、水等をスプレーすることができ、ファンに複数の機能を持たせ、使用者のより多くの屋外でのニーズに対応することができる多用途屋外用ファンを提供する。【解決手段】コントロールボードと、電池と、ファン羽根と、ファンカバー１とを備えるファン本体を備え、コントロールボードは電池、ファン羽根の駆動モータに接続され、ファン羽根はファンカバー１の中に取り付けられ、前記ファン本体には、収容作用を有する容器本体と、スプレー作用を有し前記容器本体の口部に取り付けられるノズルとを備えるスプレー容器４が取り付けられている。【選択図】図２
0003215896.tif 000002
【実用新案登録請求の範囲】
【請求項１】
コントロールボードと、電池と、ファン羽根と、ファンカバーとを備えるファン本体を備え、コントロールボードは電池、ファン羽根の駆動モータに接続され、ファン羽根はファンカバーの中に取り付けられる多用途屋外用ファンであって、
前記ファン本体には、収容作用を有する容器本体と、スプレー作用を有し、前記容器本体の口部に取り付けられるノズルとを備えるスプレー容器が取り付けられていることを特徴とする多用途屋外用ファン。
【請求項２】
前記ファン本体は、前記ファンカバーが可動に接続されるベースを備え、ベースには溝室が設けられ、溝室内にスプレー容器が取り付けられ、溝室はスプレー容器進出用を出し入れするための露出口を有する溝室が設けられていることを特徴とする請求項１に記載の多用途屋外用ファン。
【請求項３】
前記容器本体の外周に設けられる嵌合リングであって、前記溝室において動作可能であり、前記スプレー容器の前記溝室の出し入れに連動して移動する嵌合リングを有する、ことを特徴とする請求項２に記載の多用途屋外用ファン。
【請求項４】
前記容器本体と嵌合リングは着脱可能に装着されていることを特徴とする請求項３に記載の多用途屋外用ファン。
【請求項５】
前記嵌合リングは開口を有してＣ字状をなし、嵌合リングの開口端に外方に突出する弾き片が設けられていることを特徴とする請求項４に記載の多用途屋外用ファン。
【請求項６】
前記溝室は露出口に対応するカバーを有することを特徴とする請求項２に記載の多用途屋外用ファン。
【請求項７】
前記ベースベースの底面又は頂面に鏡が取り付けられていることを特徴とする請求項２に記載の多用途屋外用ファン。
【請求項８】
前記ファンカバーとベースとは回転軸により接続され、ファンカバーが回転軸に沿って回転することでベースの頂面が開閉されることを特徴とする請求項２に記載の多用途屋外用ファン。
【請求項９】
前記ファンカバーにおける接続箇所に複数本の横溝が設けられ、前記ベースに横溝に対応するプッシュプレートが設けられており、前記プッシュプレートが動いて横溝に係合されることでファンカバーの開閉角度が決定されることを特徴とする請求項８に記載の多用途屋外用ファン。
【請求項１０】
前記回転軸には、前記回転軸に接合され、前記回転軸に押圧力を与えるための弾性ガスケットが設けられていることを特徴とする請求項８に記載の多用途屋外用ファン。
【請求項１１】
前記ベースとファンカバーとの開閉面には互いに対応する係止構造が設けられていることを特徴とする請求項８に記載の多用途屋外用ファン。
【請求項１２】
前記ベースには、接続箇所を有するベースの半周辺に設けられ、かつ接続箇所に対して対称的である２つの第１の紐孔が設けられていることを特徴とする請求項８に記載の多用途屋外用ファン。
【請求項１３】
前記ベースには、ベースの周辺の真ん中に対称配置され、かつ接続箇所に対して対称的である２つの第２の紐孔が設けられていることを特徴とする請求項８に記載の多用途屋外用ファン。
【考案の詳細な説明】
【技術分野】
【０００１】
本考案はポータブルファンに関する。
【背景技術】
【０００２】
充電電池の幅広い使用及び耐久性技術の成長に伴い、ファンは伝統的な製品として有線電源の依存から解放され、もはや屋内での使用に限らず、屋外での使用まで広がり、人々の屋外活動のために快適に暑気を取り除く課題を解決することは、現在市販されている一部の充電ファンが達成した機能である。しかし、屋外での人々の望みはそれだけに止まらず、暑気払い以外にも、蚊などの虫除け、化粧を整えるためなどの機能も多くの使用者に求められており、従来のポータブル屋外用ファンでは解決できない。また、暑気払いの機能を保ちながら使用者の両手を解放できるようにすることも、従来のポータブルファンに解決が求められる課題である。
【考案の概要】
【考案が解決しようとする課題】
【０００３】
本考案は上記事情に鑑みてなされたものであり、解決しようとする技術課題は、改善された屋外用ファンを提供することである。
【課題を解決するための手段】
【０００４】
本考案者らは、上記課題を解決するため鋭意検討したところ、下記の技術手段を採用することにより、上記課題を解決し得ることを見出し、本考案を完成するに至った。
【０００５】
本考案は、多用途屋外用ファンであって、コントロールボードと、電池と、ファン羽根と、ファンカバーとを備えるファン本体を備え、コントロールボードは電池、ファン羽根の駆動モータに接続され、ファン羽根はファンカバーの中に取り付けられ、前記ファン本体には、収容作用を有する容器本体と、スプレー作用を有し、前記容器本体の口部に取り付けられるノズルとを備えるスプレー容器が取り付けられている。
【０００６】
かかる考案によれば、前記ファン本体は、前記ファンカバーが可動に接続されるベースを備え、ベースには溝室が設けられ、溝室内にスプレー容器が取り付けられ、溝室はスプレー容器を出し入れするための露出口を有する。
【０００７】
かかる考案によれば、前記容器本体の外周に設けられる嵌合リングであって、前記溝室において動作可能であり、前記スプレー容器の前記溝室の出し入れに連動して移動する嵌合リングを有する。
【０００８】
かかる考案によれば、前記容器本体と嵌合リングは着脱可能に装着されている。
【０００９】
かかる考案によれば、前記嵌合リングは開口を有してC字状をなし、嵌合リングの開口端には外方に突出する弾き片が設けられている。
【００１０】
かかる考案によれば、前記溝室は露出口に対応するカバーを有する。
【００１１】
かかる考案によれば、前記ベースの底面又は頂面に鏡が取り付けられている。
【００１２】
かかる考案によれば、前記ファンカバーとベースとは回転軸により接続され、ファンカバーが回転軸に沿って回転することでベースの頂面が開閉される。
【００１３】
かかる考案によれば、前記ファンカバーの接続箇所に複数本の横溝が設けられ、前記ベースには横溝に対応するプッシュプレートが設けられており、前記プッシュプレートが動いて横溝に係合されることでファンカバーの開閉角度が決定される。
【００１４】
かかる考案によれば、前記回転軸には、前記回転軸に接合され、前記回転軸に押圧力を与えるための弾性ガスケットが設けられている。
【００１５】
かかる考案によれば、前記ベースとファンカバーとの開閉面には互いに対応する係止構造が設けられている。
【００１６】
かかる考案によれば、前記ベースには、接続箇所を有するベースの半周辺に設けられ、かつ接続箇所に対して対称的である２つの第１の紐孔が設けられている。
【００１７】
かかる考案によれば、前記ベースには、ベースの周辺の真ん中に対称配置され、かつ接続箇所に対して対称的である２つの第２の紐孔が設けられている。
【考案の効果】
【００１８】
本考案の技術手段によって以下の有益な効果が得られる。
ファンの基礎的な機能に加え、スプレー容器を追加することで香水、防虫剤、水等をスプレーすることができ、ファンに複数の機能を持たせ、使用者のより多くの屋外でのニーズに対応できる。
【図面の簡単な説明】
【００１９】
以下、図面と実施例を参照しながら、本考案を更に説明する。
【００２０】
【図１】本考案の概略図である。
【図２】は本考案のファンの主な構造を説明する略図である。
【図３】本考案の溝室の構造を説明する略図である。
【図４】本考案のスプレー容器の略図である。
【考案を実施するための形態】
【００２１】
本考案の技術的特徴、目的及び効果をより明確に理解するために、図面を参照しながら本考案の具体的な実施形態を詳しく説明する。
【００２２】
図１−４に示す多用途屋外用ファンは、コントロールボードと、電池と、ファン羽根２と、ファンカバー１とを備えるファン本体を備え、コントロールボードは電池、ファン羽根２の駆動モータに接続され、ファン羽根２はファンカバー１の中に取り付けられ、前記ファン本体には、収容作用を有する容器本体４０と、スプレー作用を有し前記容器本体４０の口部に取り付けられるノズル４１とを備えるスプレー容器４が取り付けられている。スプレー容器４は日常生活において香水、防虫剤、水等の液体の収容に用いられる容器であり、必要に応じて、ノズル４１を押圧して、容器内の液体を噴出させる。スプレー容器４をポータブルファンに取り付けることで、ファンにより多くの機能を持たせ、特に屋外で活動する使用者にとっては、複数の機能が１つの物品によって満たされ、持ち運ぶ物品の件数を減らすことができる。
【００２３】
いくつかの実施例では、ファン本体はベース３を備え、ベース３には溝室５が設けられ、溝室５内にスプレー容器４が取り付けられ、溝室５はスプレー容器４を出し入れするための露出口を有する。ベース３は、通常コントロールボード、電池等の部材を取り付けるためのものであり、収容用の大きな空間構造を有するように構成されている。また、ファン本体を支持し配置する役割も果たし、ベース３の安定性を維持するためにそれ自体が一定の重量を必要とするので、スプレー容器４をベース３に取り付けることにより最適化が向上される。
【００２４】
溝室５において動作可能な嵌合リング４２が設けられ、嵌合リング４２は、前記容器本体４０の外周に設けられ、前記スプレー容器４のて前記溝室５の出し入れに連動して移動するように設けられる。図３〜４に示す実施例では、嵌合リング４２は回転軸４４により溝室５における軸孔５０の中で回転可能に設けられ、嵌合リング４２の回転によりスプレー容器４が溝室５に収納されたり、又は使用者が使用できるように溝室５から取り出されたりし、嵌合リング４２は、スプレー容器４とファン本体とを脱落しないように一体化構造にて接続される。容器本体４０と嵌合リング４２は着脱可能に装着することが好ましく、スプレー容器４を取り出し交換、メンテナンス及び必要な液体の追加などの操作が容易になる。例えば、嵌合リング４２に開口を設けてＣ字状にし、嵌合リング４２の開口端に外方へ突出する弾き片４３を設け、弾き片４３に付勢することにより嵌合リング４２の開口が開かれ、スプレー容器４を容易に取り出すことができる。同時に、溝室５の露出口にカバーが設置されてもよく、内部のスプレー容器４を保護することができ、ベース３構造全体の最適化が図れる。
【００２５】
好ましくは、ファンカバー１はベース３に可動に接続され、ファンカバー１とベース３とは回転軸により接続され、ファンカバー１が回転軸に沿って回転することによりベース３の頂面が開閉され、ファンカバー１の開閉角度を選択することにより風向を調整することができる。ファンカバー１の接続箇所に複数本の横溝６が設けられ、ベース３に横溝６に対応するプッシュプレート７が設けられ、プッシュプレート７が動いて横溝６に係合されることによりファンカバー１の開閉角度が決定される。使用者がファンカバー１を適宜な開放角度に動かした後、プッシュプレート７を操作し、プッシュプレート７を対応する横溝６に係合させることにより、ファンカバー１は勝手に動いて風向に影響することを防止できるように規制される。横溝６とプッシュプレート７により位置決めされるファンカバー１の角度は、一般的に６０度〜１５０度（ファンカバー１とベース３との角度）であり、好ましい風向角度範囲である。なお、回転軸に回転軸と接合する弾性ガスケットを取り付けて位置規制の役割を果たさせてもよく、弾性ガスケットが回転軸を押圧するため、回転軸の摩擦力が非常に大きく、使用者が付勢する時に限って弾性ガスケットが押圧変形され回転軸が回転することができ、付勢力が解除されると、弾性ガスケットは復帰して回転軸を勝手に回転しないように規制する。
【００２６】
ファンカバー１とベース３の開閉は両者の開閉面（ファンカバー１の底面とベース３の頂面）に設置される係止構造により規制され、例えば、ベース３に係合突起３０を設置し、ファンカバー１に係合突起３０に対応する係合溝を設置し、係合溝は特別に設置してもよく、ファンカバー１自身に格子を備える特徴を利用し、既存の構成を直接利用してもよい。係止構造はファンカバー１が勝手に開閉しないようにするだけでなく、両者が正確に開閉するように誘導することもできる。
【００２７】
いくつかの実施例では、ベース３に、接続箇所を有するベース３の半周辺に設けられ、かつ接続箇所に対して対称的である２つの第１の紐孔が設けられている。第１の紐１００を第１の紐孔に貫通してから第１の紐１００を着用させると、重心が第１の紐孔にあることで、接続箇所が上方に来るようにし、ファンカバー１を操作する時に、その風がちょうど操作者の首、顔に当てることができる。好ましくは、ベース３には、ベース３周辺の真ん中に対称設置され、かつ接続箇所に対して対称的である２つの第２の紐孔が設けられ、第２の紐孔を貫通して設ける第２の紐１０２を腰に着用して使用することができる。
【００２８】
いくつかの実施例では、例えばベース３の底面又は頂面に鏡が取り付けられている。屋外で活動する時、使用者はしばしば見かけを整える必要があり、ファンに鏡を追加することにより使用者のニーズを満たすことができる。ファンカバー１は回転軸により開閉する（ベース３と）角度が１５０度以上であると、使用者はベース３の底面の鏡を使用して化粧を直したり化粧したりする時でも、ファンカバー１からの風を楽しむことができる。
【００２９】
以上は本考案の好ましい実施例に過ぎず、本考案を限定するものではない。当業者にとって、本考案は様々な変更、組み合わせおよび変形を有することができる。本考案の精神及び原則の範囲内で行われたいかなる変更、均等な置換及び改良も本考案の請求の範囲に含まれる。
【符号の説明】
【００３０】
１…ファンカバー
２…ファン羽根
３…ベース
３０…係合突起
４…スプレー容器
４０…容器本体
４１…ノズル
４２…嵌合リング
４３…弾き片
４４…回転軸
５…溝室
５０…軸孔
６…横溝
７…プッシュプレート
１０１…第１の紐
１０２…第２の紐
【図１】
0003215896.tif 000003
【図２】
0003215896.tif 000004
【図３】
0003215896.tif 000005
【図４】
0003215896.tif 000006